(57)【要約】【課題】  画像形成処理に使用した記録紙を部数単位で排出位置を変更して排紙トレイに排出するシフトソート機能を備えた画像形成装置において、ユーザが記録紙の仕分け処理を実行させるための設定操作を行わなかったとしても、記録紙を自動的に仕分けすることができる画像形成装置を提供する。【解決手段】  本発明の画像形成装置１は、排紙トレイ２２上の排出位置２３を記憶する記憶手段８と、該記憶手段８が記憶する排出位置２３と異なる排出位置を最初の排出位置として印刷ジョブで使用した記録紙を前記排紙トレイ２２に排出する排出手段１２と、前記印刷ジョブ完了後に前記記憶手段８が記憶する排出位置２３を前記印刷ジョブで使用した最後の記録紙の排出位置に変更する変更手段２と、を備える。【選択図】      図２
2006089176.tif 000002
【特許請求の範囲】
【請求項１】
印刷ジョブに使用した記録紙をその搬送方向と直交する方向にシフトさせるシフト手段により部数単位で排出位置を変更して排紙トレイに排出するシフトソート機能を備えた画像形成装置において、
前記排紙トレイ上の排出位置を記憶する記憶手段と、該記憶手段が記憶する排出位置と異なる排出位置を最初の排出位置として印刷ジョブで使用した記録紙を前記排紙トレイに排出する排出手段と、前記印刷ジョブ完了後に前記記憶手段が記憶する排出位置を前記印刷ジョブで使用した記録紙の最後の排出位置に変更する変更手段と、を備えることを特徴とする画像形成装置。
【請求項２】
前記排紙トレイ上の記録紙の有無を検出する検出手段を備え、
前記排出手段は、前記検出手段が記録紙有りを検出した場合に前記記憶手段が記憶する排出位置と異なる排出位置を最初の排出位置として前記印刷ジョブで使用した記録紙を前記排紙トレイに排出することを特徴とする請求項１記載の画像形成装置。
【請求項３】
印刷ジョブに使用した記録紙をその搬送方向と直交する方向にシフトさせるシフト手段により部数単位で排出位置を変更して排紙トレイに排出するシフトソート機能を備えた画像形成装置において、
前記排紙トレイ上の排出位置を記憶する記憶手段と、前記排紙トレイ上の記録紙の有無を検出する検出手段と、該検出手段が記録紙有りを検出した場合に前記記憶手段が記憶する排出位置と異なる排出位置を印刷ジョブで使用した記録紙の排出位置として前記印刷ジョブで使用した記録紙を前記排紙トレイに排出する第１の排出手段と、前記検出手段が記録紙無しを検出した場合に印刷ジョブで使用した記録紙を部数単位で排出位置を変更して前記排紙トレイに排出する第２の排出手段と、前記印刷ジョブ完了後に前記記憶手段が記憶する排出位置を前記第１の排出手段又は前記第２の排出手段により前記排紙トレイに排出された記録紙の最後の排出位置に変更する変更手段と、を備えることを特徴とする画像形成装置。
【発明の詳細な説明】
【技術分野】
【０００１】
本発明は、電子写真複写機、レーザプリンタ、ファクシミリ装置等が備える画像形成装置に関し、詳しくは、印刷処理に使用した記録紙を排紙トレイに排出する画像形成装置に関する。
【背景技術】
【０００２】
従来より、原稿の画像を記録紙に記録した後にその印刷処理に使用した記録紙を部数単位で排出位置を変更して排紙トレイに排出する、いわゆるシフトソート機能を備えた画像形成装置がある。このような画像形成装置は、記録紙の搬送方向（排出方向）と直交した方向に移動可能な搬送ローラ（シフトローラ）を備えており、原稿を複数部コピー（複写）する場合、部数単位で搬送ローラの位置を変更することにより、複数部の記録紙を排紙トレイ上の異なる排出位置に排出する。例えば、図３に示すように、４部のコピーを行った場合、１部目の記録紙１０１は、排紙トレイ１００上の通常の排出位置に排出され、２部目の記録紙１０２は、通常の排出位置から排出方向と直交する方向にシフトした（ずれた）位置に排出される。以下、３部目の記録紙１０３は、１部目の記録紙１０１と同じ排出位置に、４部目の記録紙１０４は、２部目の記録紙１０２と同じ排出位置に排出される。このようにして、シフトソート機能を備えた画像形成装置は、部数単位で記録紙をシフトさせて異なる排出位置に排出することにより、部数単位で記録紙を仕分けることができる。
【０００３】
なお、上述したような部数単位で記録紙を仕分ける画像形成装置のほかに、ジョブ単位で記録紙を仕分ける画像処理装置が考案されている（例えば、特許文献１参照）。この画像処理装置は、複数の排紙トレイを有しており、ジョブ単位で記録紙を排出する排紙トレイを切り替えることにより、ジョブ単位で記録紙を仕分けるようになっている。
【特許文献１】特開平８−２６５８４号公報
【発明の開示】
【発明が解決しようとする課題】
【０００４】
ところで、従来のシフトソート機能を備えた画像形成装置では、ユーザがシフトソート機能を実行させるための設定操作を原稿の読取り開始前に行わなければならず、設定操作を行わなかった場合には、なんらの仕分け処理も実行されないという問題点があった。
【０００５】
本発明は、以上のような問題点に鑑みてなされたものであり、印刷処理に使用した記録紙を部数単位で排出位置を変更して排紙トレイに排出するシフトソート機能を備えた画像形成装置において、ユーザが記録紙の仕分け処理を実行させるための設定操作を行わなかったとしても、記録紙を自動的に仕分けすることができる画像形成装置を提供することを目的とする。
【課題を解決するための手段】
【０００６】
上記目的を達成するために、請求項１記載の画像形成装置は、印刷ジョブに使用した記録紙をその搬送方向と直交する方向にシフトさせるシフト手段により部数単位で排出位置を変更して排紙トレイに排出するシフトソート機能を備えた画像形成装置において、前記排紙トレイ上の排出位置を記憶する記憶手段と、該記憶手段が記憶する排出位置と異なる排出位置を最初の排出位置として印刷ジョブで使用した記録紙を前記排紙トレイに排出する排出手段と、前記印刷ジョブ完了後に前記記憶手段が記憶する排出位置を前記印刷ジョブで使用した記録紙の最後の排出位置に変更する変更手段と、を備えることを特徴としている。
【０００７】
請求項２記載の画像形成装置は、請求項１記載の画像形成装置において、前記排紙トレイ上の記録紙の有無を検出する検出手段を備え、前記排出手段は、前記検出手段が記録紙有りを検出した場合に前記記憶手段が記憶する排出位置と異なる排出位置を最初の排出位置として前記印刷ジョブで使用した記録紙を前記排紙トレイに排出することを特徴としている。
【０００８】
請求項３記載の画像形成装置は、印刷ジョブに使用した記録紙をその搬送方向と直交する方向にシフトさせるシフト手段により部数単位で排出位置を変更して排紙トレイに排出するシフトソート機能を備えた画像形成装置において、前記排紙トレイ上の排出位置を記憶する記憶手段と、前記排紙トレイ上の記録紙の有無を検出する検出手段と、該検出手段が記録紙有りを検出した場合に前記記憶手段が記憶する排出位置と異なる排出位置を印刷ジョブで使用した記録紙の排出位置として前記印刷ジョブで使用した記録紙を前記排紙トレイに排出する第１の排出手段と、前記検出手段が記録紙無しを検出した場合に印刷ジョブで使用した記録紙を部数単位で排出位置を変更して前記排紙トレイに排出する第２の排出手段と、前記印刷ジョブ完了後に前記記憶手段が記憶する排出位置を前記第１の排出手段又は前記第２の排出手段により前記排紙トレイに排出された記録紙の最後の排出位置に変更する変更手段と、を備えることを特徴としている。
【発明の効果】
【０００９】
請求項１記載の画像形成装置によれば、ジョブ単位で記録紙の排出位置が変更されるので、ユーザがシフトソートを行わせるための設定操作を忘れても、ジョブ単位で記録紙の仕分けが行われるという利点がある。
【００１０】
請求項２記載の画像形成装置によれば、ジョブ単位で記録紙を仕分ける必要がある場合、すなわち、排紙トレイ上に記録紙がある場合にのみジョブ単位で記録紙が仕分けされる。したがって、不要な仕分けが行われることがないという利点がある。
【００１１】
請求項３記載の画像形成装置によれば、排紙トレイ上に記録紙がある場合には、前の印刷ジョブで排出した記録紙が残っており、ジョブ単位で記録紙を仕分けることが有効であるので、ジョブ単位で記録紙が仕分けされる。また、排紙トレイ上に記録紙がない場合には、前の印刷ジョブで排出した記録紙が残っておらず、ジョブ単位で記録紙を仕分けることが有効ではないので、部数単位で記録紙が仕分けされるという利点がある。
【発明を実施するための最良の形態】
【００１２】
以下、本発明の第１の実施形態に係る画像形成装置を図面に基づいて説明する。この画像形成装置１は、図１に例示するように、制御部（ＭＰＵ：Microprocessing Unit）２、ＲＯＭ（Read Only Memory）３、原稿読取部４、コーデック５、画像メモリ６、記録部７、ＲＡＭ（Random Access Memory）８、操作部９、及び表示部１０を備えたものであって、各部２乃至１０はバス１１によって通信可能に接続されている。
【００１３】
制御部２は、ＲＯＭ３に格納された制御プログラムに従って、この画像形成装置１を構成する各部を制御するものである。原稿読取部４は、原稿の画像データを読取って所定の出力先に出力するものであり、図示しないがＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００１４】
コーデック５は、画像データを符号化及び復号するものである。ここでは、原稿読取部４から出力された画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。画像メモリ６は、原稿読取部４から直接出力された画像データ、コーデック５において符号化された画像データ等を蓄積する。
【００１５】
記録部７は、画像メモリ６から読み出された画像データの画像を記録紙に記録する処理（印刷処理）を行うものである。この記録部７における記録方式としては、例えば、電子写真方式を用いることができる。また、記録部７は、印刷処理で使用された（印刷ジョブに使用した）記録紙の搬送を制御する記録紙搬送制御部１２を備えている。
【００１６】
図２は、記録部７の概略構成を示す断面図である。図外の記録紙搬送制御部１２は、給紙ローラ１３の回転を制御して、給紙カセット１４から１枚ずつ記録紙を取り出して搬送路１５へ送り込み、搬送ローラ１６、１７の回転を制御して、記録紙を搬送路１５に沿って感光体ドラム１８と転写ローラ１９の間へ搬送する。そして、搬送ローラ２０の回転を制御して、感光体ドラム１８上のトナー画像が転写された記録紙を更に搬送し、排紙ローラ２１の回転を制御して、排紙トレイ２２に排出する。ここで、搬送ローラ２０は、図示しないモータによって記録紙の排出方向（図２中の矢符Ａの方向）と直交する方向、すなわち、図２において紙面に直交する方向に移動するようになっている。記録紙搬送制御部１２は、モータの回転を制御して搬送ローラ２０を移動させることにより、記録紙をその搬送方向（排出方向）と直交する方向にシフトさせるシフト手段として機能する。搬送ローラ２０によってシフトされた記録紙は、排紙ローラ２１によって排紙トレイ２２上に排出される。この場合には、記録紙は排紙トレイ２２上の通常の排出位置からシフトした（ずれた）位置に排出され、シフトさせなかった場合には、通常の排出位置に排出される。なお、これ以降、図３に示すように、排紙トレイ２２上の通常の排出位置を「右」の排出位置、通常の排出位置からシフトした位置を「左」の排出位置ともいう。
【００１７】
ＲＡＭ８は、制御部２の主メモリ、ワークエリア等として機能し、各種の設定情報等を記憶しており、排紙トレイ２２上の排出位置情報２３、すなわち、印刷ジョブで使用された記録紙の最後の排出位置（以下、「最終排出位置」ともいう。）を記憶する記憶手段として機能する。本実施形態では、排紙トレイ２２上の排出位置は、図３に示すように、「右」の排出位置と「左」の排出位置の２箇所であるので、ＲＡＭ８は、このどちらかの位置情報を記憶している。
【００１８】
操作部９は、コピー開始等を指示するためのスタートキー、コピー部数等を入力するためのテンキー、各種操作を行うためのカーソルキーなど、表示部１０と連動した各種操作キーを備えている。また、操作部９は、自動シフトモードの設定を受付ける。操作部９が自動シフトモードの設定を受付けると、制御部２は、自動シフトモードの設定情報をＲＡＭ８に記憶する。自動シフトモードに設定されている場合には、前の印刷ジョブと次の印刷ジョブとで記録紙の排出位置を変更して排出する自動シフト機能が実行される。更に、操作部９は、シフトソートモードの設定を受付ける。操作部９がシフトソートモードの設定を受付けると、部数単位で記録紙の排出位置を変更して排出するシフトソート機能が実行される。なお、自動シフト機能は、ユーザによる自動シフトモードの設定操作が１度行われると、印刷ジョブが行われる毎に実行されるが、シフトソート機能は、印刷ジョブを行う毎にユーザがシフトソートモードの設定操作を行われなければ、実行されない。表示部１０は、各種の設定状態や画像形成装置１の動作状態などを表示する液晶表示装置（ＬＣＤ：Liquid Crystal Display）などを備えている。
【００１９】
上記構成を備える画像形成装置１は、印刷ジョブで使用した記録紙を部数単位で排出位置を変更して排出するシフトソート機能とともに、印刷ジョブで使用した記録紙をジョブ単位で排出位置を変更して排出する自動シフト機能を備える。以下、操作部９のスタートキーが押下されたことなどにより印刷処理開始が指示された場合の画像形成装置１の処理動作について、図４及び図５に示すフローチャートに基づいて説明する。なお、以下のフローチャートに基づいて説明する画像形成装置１の処理動作は、ＲＯＭ３に格納されている制御プログラムに基づいて制御部２が発行する命令に従って行われる。
【００２０】
制御部２は、原稿の印刷開始命令があったと判断すると（Ｓ１：ＹＥＳ）、印刷ジョブで使用する記録紙がシフト可能か否かを判断する（Ｓ２）。例えば、Ａ５サイズや葉書サイズ等の小さなサイズの記録紙は、記録部７の機構上の理由により、シフトすることができない。印刷ジョブで使用する記録紙がシフト可能ではないと判断した場合（Ｓ２：ＮＯ）、通常の印刷処理を実行する（Ｓ３）。すなわち、印刷ジョブで使用した記録紙は、シフトさせることができないので、全て「右」（通常）の排出位置に排出される。
【００２１】
一方、制御部２は、印刷ジョブで使用する記録紙がシフト可能であると判断した場合（Ｓ２：ＹＥＳ）、自動シフトモードに設定されているか否かを判断する（Ｓ４）。自動シフトモードに設定されていると判断した場合（Ｓ４：ＹＥＳ）、ＲＡＭ８が記憶する排出位置情報２３を読み出し、読み出した排出位置情報２３に基づいて前の印刷ジョブでの記録紙の最後の排出位置（最終排出位置）が「右」であるか「左」であるかを判断する（Ｓ５）。最終排出位置が「左」であると判断した場合には（Ｓ５：左）、印刷ジョブで使用する記録紙の最初の排出位置を「右」、すなわち、ＲＡＭ８が記憶する排出位置と異なる排出位置に設定する（Ｓ６）。一方、最終排出位置が「右」であると判断した場合には（Ｓ５：右）、前記Ｓ６とは逆に、印刷ジョブで使用する記録紙の最初の排出位置を「左」に設定する（Ｓ７）。
【００２２】
次に、制御部２は、原稿の印刷開始命令があった際にシフトソートモードの設定を受付けているか否かを判断する（Ｓ８）。シフトソートモードの設定を受付けていないと判断すると（Ｓ８：ＮＯ）、記録部７による印刷処理を開始する（Ｓ９）。次に、記録紙搬送制御部１２は、Ｓ６又はＳ７で設定された排出位置に印刷ジョブで使用した記録紙を排出する（Ｓ１０）。このように、排出手段として機能する記録紙搬送制御部１２は、ＲＡＭ８が記憶する排出位置情報２３と異なる排出位置を最初の排出位置として印刷ジョブで使用した記録紙を排紙トレイ２２に排出する。続いて、制御部２は、印刷処理が終了したか否かを判断する（Ｓ１１）。なお、Ｓ１０では、操作部９がシフトソートモードの設定を受付けていないため、記録紙搬送制御部１２は、部数単位で記録紙の排出位置を変更せず、印刷処理が終了するまで、すなわち、制御部２がＳ１１で印刷処理が終了したと判断するまで、Ｓ６又はＳ７で設定された最初の排出位置に印刷ジョブで使用した記録紙を排出する。したがって、印刷ジョブで使用された記録紙は、Ｓ６又はＳ７で設定された排出位置に全て排出される。
【００２３】
前記Ｓ１１において、変更手段として機能する制御部２は、印刷処理が終了したと判断すると（Ｓ１１：ＹＥＳ）、ＲＡＭ８が記憶する排出位置情報２３を最終排出位置に変更する（Ｓ１２）。すなわち、制御部２は、ＲＡＭ８の排出位置情報２３を前記Ｓ１０の処理により記録紙搬送制御部１２が記録紙を排出した排紙トレイ２２上の排出位置に変更する。ここで、前記Ｓ１０において、記録紙搬送制御部１２は、前の印刷ジョブの最終排出位置と異なる排出位置に記録紙を全て排出するので、ＲＡＭ８の排出位置情報２３は、前の印刷ジョブの最終排出位置と異なる排出位置に変更される。
【００２４】
前記Ｓ４において、制御部２は、自動シフトモードに設定されていないと判断した場合（Ｓ４：ＮＯ）、前記Ｓ８と同様に、シフトソートモードの設定を受付けているか否かを判断する（Ｓ１３）。シフトソートモードの設定を受付けていないと判断した場合（Ｓ１３：ＮＯ）、前記Ｓ３と同様に、通常の印刷処理を実行する（Ｓ１４）。
【００２５】
前記Ｓ１３において、制御部２は、シフトソートモードの設定を受付けていると判断した場合（Ｓ１３：ＹＥＳ）、印刷ジョブで使用する記録紙の最初の排出位置を「右」、すなわち、通常の排出位置に設定する（Ｓ１５）。ここでは、自動シフトモードに設定されていないので、前の印刷ジョブの最終排出位置（排出位置情報２３）と印刷ジョブで使用する記録紙の最初の排出位置を異なる位置とする必要がないため、通常の排出位置に最初の記録紙を排出するように設定する。
【００２６】
制御部２は、Ｓ１５の処理の後、又は、前記Ｓ８において、シフトソートモードの設定を受付けていると判断した場合（Ｓ８：ＹＥＳ）、記録部７による印刷処理を開始する（Ｓ１６）。次に、記録紙搬送制御部１２は、前記Ｓ６、Ｓ７、又はＳ１５で設定された排出位置に印刷ジョブで使用した記録紙を排出する（Ｓ１７）。続いて、制御部２は、１部の印刷処理が終了したか否かを判断する（Ｓ１８）。なお、Ｓ１７では、記録紙搬送制御部１２は、１部の印刷処理が終了するまで、すなわち、制御部２がＳ１８で１部の印刷処理が終了したと判断するまで、前記Ｓ６、Ｓ７、又はＳ１５で設定された最初の排出位置に印刷ジョブで使用した記録紙を排出する。したがって、自動シフトモードに設定されている場合には、前の印刷ジョブの最終排出位置と１部目の記録紙の排出位置が異なる位置となる。
【００２７】
制御部２は、１部の印刷処理が終了したと判断すると（Ｓ１８：ＹＥＳ）、全印刷処理が終了しているか否かを判断する（Ｓ１９）。全印刷処理が終了していないと判断した場合（Ｓ１９：ＮＯ）、現在の排出位置が「右」であるか「左」であるかを判断する（Ｓ２０）。現在の排出位置が「左」であると判断した場合（Ｓ２０：左）、記録紙の排出位置を「右」に設定し（Ｓ２１）、現在の排出位置が「右」であると判断した場合（Ｓ２０：右）、記録紙の排出位置を「左」に設定する（Ｓ２２）。以下、全印刷処理が終了したと判断するまで、前記Ｓ１７以降の処理動作を行う。
【００２８】
前記Ｓ１９において、制御部２は、全印刷処理が終了したと判断すると（Ｓ１９：ＹＥＳ）、ＲＡＭ８が記憶する排出位置情報２３を最終排出位置、すなわち、記録紙搬送制御部１２が前記Ｓ１７で排出した記録紙の最後の排出位置に変更して処理を終了する（Ｓ２３）。
【００２９】
以上説明したように、排出手段として機能する記録紙搬送制御部は、シフトソートモードの設定の有無に関らず、自動シフトソートモードに設定されている場合には、ＲＡＭ８が記憶する前の印刷ジョブの最終排出位置（排出位置情報２３）と異なる排出位置に印刷ジョブで使用した最初の記録紙を排出する。したがって、画像形成装置１は、ユーザがシフトソートモードの設定操作を行っていなくても、ジョブ単位で記録紙を仕分けすることができる。また、自動シフトモードとシフトソートモードが両方設定されている場合には、記録紙搬送制御部１２は、ジョブ単位で排出位置を変更して記録紙を排出するとともに、部数単位で排出位置を変更して記録紙を排出するので、印刷ジョブに使用された記録紙を、ジョブ単位、且つ、部数単位で仕分けすることができる。
【００３０】
次に、本発明の第２の実施形態に係る画像形成装置について説明する。本発明の第２の実施形態に係る画像処理装置１Ａは、図６に示すように、図１に示した画像形成装置１に記録紙検出センサ２４が付加されたものである。以下、画像形成装置１と共通する部分については同一番号を付してその説明を省略し、相違点についてのみ主に説明する。
【００３１】
記録紙検出センサ２４は、排紙トレイ２２上の記録紙の有無を検出する検出手段として機能する。具体的には、排紙トレイ２２上の記録紙の有無を検出して、検出信号を制御部２に出力する。制御部２は、記録紙検出センサ２４の検出信号に基づいて、排紙トレイ２２上の記録紙の有無を判断する。この記録紙検出センサ２４としては、例えば反射型センサを使用することができる。
【００３２】
画像形成装置１Ａの制御部２は、前記Ｓ１及びＳ２の処理動作を実行し、Ｓ２において、使用する記録紙がシフト可能であると判断した場合（Ｓ２：ＹＥＳ）、図７（ａ）に示すように、前記Ｓ４の処理動作に代えて、記録紙検出センサ２４の検出信号に基づいて、排紙トレイ２２上に記録紙が有るか否かを判断する（Ｓ５１）。記録紙が有ると判断した場合には（Ｓ５１：ＹＥＳ）、前記Ｓ５以降の処理動作を実行する。また、記録紙がないと判断した場合には（Ｓ５１：ＮＯ）、前記Ｓ１３以降の処理動作を行う。
【００３３】
このように、画像形成装置１Ａは、記録紙検出センサ２４の検出信号（記録紙の有無）に基づいて、自動シフト機能を行うか否かを決定する。記録紙が排紙トレイ２２上に有る場合に、印刷ジョブで使用した記録紙が前の印刷ジョブの最終排出位置と同じ排出位置に排出されると、前の印刷ジョブの記録紙との区別がつかない。したがって、記録紙が排紙トレイ２２上にある場合には、画像形成装置１Ａは、前の印刷ジョブの最終排出位置と異なる排出位置に最初の記録紙を排出する自動シフト機能を実行する。また、記録紙が排紙トレイ２２上に無い場合には、前の印刷ジョブの記録紙と区別する必要がないので、画像形成装置１Ａは、自動シフト機能を実行しない。
【００３４】
なお、画像形成装置１Ａは、自動シフト機能とシフトソート機能の両方を実行することもできるが、両方の機能を実行すると、ユーザがジョブ単位で仕分けされた記録紙と部数単位で仕分けされた記録紙との区別がつかない場合がある。このため、第２の実施形態に係る画像形成装置１Ａの変形例として、排紙トレイ２２上に記録紙がある場合に、自動シフト機能を実行し、排紙トレイ２２上に記録紙がない場合に、シフトソート機能を実行するようにしてもよい。この場合は、図７（ｂ）に示すように、前記Ｓ５１において、記録紙があると制御部２が判断した場合に（Ｓ５１：ＹＥＳ）、前記Ｓ５の処理動作に基づいてＳ６又はＳ７の処理動作を行い、Ｓ８の処理動作を行うことなくＳ９以降の処理動作を行う。また、前記Ｓ５１において、記録紙がないと判断した場合には（Ｓ５１：ＮＯ）、Ｓ１３の処理動作を行うことなく、前記Ｓ１５以降の処理動作を行う。
【００３５】
このように、記録紙搬送制御部１２は、記録紙検出センサ２４が記録紙有りを検出した場合にＲＡＭ８が記憶する排出位置情報２３と異なる排出位置を印刷ジョブで使用した記録紙の排出位置として印刷ジョブで使用した記録紙を排紙トレイ２２に排出する第１の排出手段として機能する。また、記録紙搬送制御部１２は、記録紙検出センサ２４が記録紙無しを検出した場合に印刷ジョブで使用した記録紙を部数単位で排出位置を変更して排紙トレイ２２に排出する第２の排出手段として機能する。更に、制御部２は、印刷ジョブ完了後にＲＡＭ８が記憶する排出位置情報２３を記録紙搬送制御部１２により排紙トレイ２２に排出された記録紙の最後の排出位置に変更する変更手段として機能する。したがって、記録紙が排紙トレイ２２上に有る場合には、記録紙搬送制御部１２は、前の印刷ジョブの最終排出位置と異なる排出位置に記録紙を全て排出するので、ＲＡＭ８の排出位置情報２３は、前の印刷ジョブの最終排出位置と異なる排出位置に変更される。一方、記録紙が排紙トレイ２２上に無い場合には、記録紙搬送制御部１２は、部数単位で排出位置を変更して記録紙を排出するので、ＲＡＭ８の排出位置情報２３は、記録紙搬送制御部１２が最終部の記録紙を排出した排出位置に変更される。
【産業上の利用可能性】
【００３６】
本発明は、例えば、コピー機やファクシミリ装置、これらの複合機に適用することができる。
【図面の簡単な説明】
【００３７】
【図１】本発明の第１の実施形態に係る画像形成装置の構成例を示すブロック図である。
【図２】本発明の第１の実施形態に係る画像形成装置の記録部の概略構成を示す断面図
【図３】本発明の第１の実施形態に係る画像形成装置の排紙トレイに記録紙が排出された状態を示した図である。
【図４】本発明の第１の実施形態に係る画像形成装置が印刷処理開始が指示された場合に実行する処理動作を示したフローチャートである。
【図５】本発明の第１の実施形態に係る画像形成装置が印刷処理開始が指示された場合に実行する処理動作を示したフローチャートである。
【図６】本発明の第２の実施形態に係る画像形成装置の構成例を示すブロック図である。
【図７】（ａ）は、本発明の第２の実施形態に係る画像形成装置が印刷処理開始が指示された場合に実行する処理動作を示したフローチャートであり、（ｂ）は、本発明の第２の実施形態の変形例に係る画像形成装置が印刷処理開始が指示された場合に実行する処理動作を示したフローチャートである。
【符号の説明】
【００３８】
１、１Ａ    画像形成装置
２    制御部
３    ＲＯＭ
７    記録部
８    ＲＡＭ
１２    記録紙搬送制御部
２２    排紙トレイ
２３    排出位置情報
２４    記録紙検出センサ
【図１】
2006089176.tif 000003
【図２】
2006089176.tif 000004
【図３】
2006089176.tif 000005
【図４】
2006089176.tif 000006
【図５】
2006089176.tif 000007
【図６】
2006089176.tif 000008
【図７】
2006089176.tif 000009